(57)【特許請求の範囲】
【請求項１】
浴槽２に気泡を噴出させる気泡発生装置３と、浴槽２と洗い場側防水パン４の間に配設したエプロン５を備えた気泡浴槽付き浴室において、エプロン５は、エプロン本体５ａと、エプロン本体５ａに開設した作業口５ｂと、作業口５ｂを覆う内蓋５ｃと、作業口５ｂ及び内蓋５ｃと共にエプロン本体５ａを洗い場側Ｇから覆う化粧蓋５ｄとを備え、エプロン本体５ａに気泡発生装置３の吸気口部６を取付け、吸気口部６の吸気口６ａを洗い場側Ｇに臨ませると共に、化粧蓋５ｄで吸気口６ａを洗い場側Ｇから見えないように且つ空気の吸引が可能なように覆っていることを特徴とする気泡浴槽付き浴室の吸気構造。
【請求項２】
前記気泡発生装置３の噴出口部８を前記浴槽２に取付け、噴出口部８と前記吸気口部６とを連通する空気導入管１２の途中に消音器１３を設け、消音器１３の流入口１３ａを上方に位置させると共に流出口１３ｂを下端に位置させた請求項１記載の気泡浴槽付き浴室の吸気構造。
【発明の詳細な説明】
【技術分野】
【０００１】
本発明は、気泡浴槽付き浴室の吸気構造に関するものである。
【背景技術】
【０００２】
従来、浴槽内に気泡を噴出する気泡発生装置は、気泡となる空気を取り込む吸引口を、浴槽の上縁リムの上面に開口したもの（特許文献１）と、浴槽の上縁リムの下面側に開口したもの（特許文献２）がある。
【特許文献１】特開平７−２５０８７６
【特許文献２】特開２００５−１７７１１９
【発明の開示】
【発明が解決しようとする課題】
【０００３】
ところで、浴槽の上縁リムの上面に吸気口を開口したものは、上縁リムに載置した風呂蓋が吸気口に干渉して、吸気口を損傷させる等の問題がある。また、浴槽の上縁リムの下面側に吸気口を開口したものは、吸気口より高い位置に浴槽の水面が上昇したとき、浴槽水が吸気口から浴槽の裏面側へ漏水して躯体の柱等を傷める問題を招くことがある。
【０００４】
本発明は、吸気口を風呂蓋に干渉させず、また浴槽の裏面側に漏水させない気泡浴槽付き浴室の吸気構造の提供を目的とする。
【課題を解決するための手段】
【０００５】
吸気口を風呂蓋に干渉させず、また浴槽の裏面側に漏水させないために請求項１記載の本発明が採用した手段は、浴槽２に気泡を噴出させる気泡発生装置３と、浴槽２と洗い場側防水パン４の間に配設したエプロン５を備えた気泡浴槽付き浴室において、エプロン５は、エプロン本体５ａと、エプロン本体５ａに開設した作業口５ｂと、作業口５ｂを覆う内蓋５ｃと、作業口５ｂ及び内蓋５ｃと共にエプロン本体５ａを洗い場側Ｇから覆う化粧蓋５ｄとを備え、エプロン本体５ａに気泡発生装置３の吸気口部６を取付け、吸気口部６の吸気口６ａを洗い場側Ｇに臨ませると共に、化粧蓋５ｄで吸気口６ａを洗い場側Ｇから見えないように且つ空気の吸引が可能なように覆っていることを特徴とする気泡浴槽付き浴室の吸気構造である。
【０００７】
消音器内で残水するのを防止するために請求項２記載の本発明が採用した手段は、前記気泡発生装置３の噴出口部８を前記浴槽２に取付け、噴出口部８と前記吸気口部６とを連通する空気導入管１２の途中に消音器１３を設け、消音器１３の流入口１３ａを上方に位置させると共に流出口１３ｂを下端に位置させた請求項１記載の気泡浴槽付き浴室の吸気構造である。
【発明の効果】
【０００８】
請求項１記載の本発明は、浴槽の上縁リムの上面に吸気口を開口させないので、吸気口を浴槽を覆う風呂蓋と干渉させることがない。また、仮に浴槽水が吸気口へ逆流したとしても洗い場側へ流出するため、浴槽の裏面側に漏水させることもない。
【０００９】
また請求項１記載の本発明は、吸気口を化粧蓋で覆うことで、洗い場側にいる入浴者から吸気口を見えないようにして見栄え良くできると共に、洗い場側で飛散した水を吸気口へ到達させることもない。
【００１０】
請求項２記載の本発明は、浴槽水が逆流して消音器内へ浸入しても、浴槽を排水するときに、消音器内の残水が下端の流出口から流出するので残留することもない。
【発明を実施するための最良の形態】
【００１１】
本発明に係る気泡浴槽付き浴室の吸気構造（以下、「本発明吸気構造」と言う。）を図面に示す実施形態に基づいて説明する。
【００１２】
図１乃至図４は本発明吸気構造の実施の形態を示すものであり、図１は本発明吸気構造１の全体を示すものであって中間省略すると共に洗い場側防水パン４、浴槽側防水パン７及び浴槽２の各々の一部を破断して示す左側断面図、図２は吸気口部６の取付け状態を拡大して示す左側断面図である。図３はエプロン等を省略して配管状態を示す斜視図、図４はエプロン５を示すものであって中間省略すると共に外蓋（化粧蓋）５ｄの一部を破断した正面図である。
【００１３】
本発明吸気構造１は、図１に示す如く、浴槽２に気泡を噴出させる気泡発生装置３と、浴槽２と洗い場側防水パン４の間に配設したエプロン５とを備え、エプロン５に気泡発生装置３の吸気口部６を取付け、吸気口部６の吸気口６ａを洗い場側Ｇに臨ませ、仮に浴槽水が吸気口６ａへ逆流したとしても浴槽水を洗い場側Ｇへ流出するように構成してある。該エプロン５は、図１及び図４に示す如く、浴槽２の上縁リム２ａと洗い場側防水パン４に上下端を水密に接続したエプロン本体５ａと、エプロン本体５ａに開設した作業口５ｂと、作業口５ｂを覆う着脱自在な内蓋５ｃと、内蓋５ｃと共にエプロン本体５ａを洗い場側Ｇから覆う着脱自在な化粧蓋である外蓋５ｄとを備えている。本発明吸気構造１は、エプロン本体５ａに吸気口部６を取付けると共に吸気口部６を外蓋５ｄで覆うことで、図２に示す如く、洗い場側Ｇにいる入浴者から吸気口部６の吸気口６ａを見えないようにして、見栄え良くすると共に洗い場側Ｇで飛散した水を吸気口６ａへ到達させないようにしてある。上記洗い場側防水パン４に接合する浴槽側防水パン７には、図１に示す如く、浴槽２が設置されている。また、洗い場側防水パン４及び浴槽側防水パン７は、その周縁に壁パネル１７を立設してある。
【００１４】
前記気泡発生装置３は、図１及び図３に示す如く、前記吸気口部６と、浴槽２の立上げ壁部２ｂに取付けた二個の噴出口部８と、循環用ポンプ９と、ポンプ９の吐出口と噴出口部８，８とを連通する二本の送水管１０，１０と、ポンプ９の吸引口と噴出口部８，８とを連通する吸水管１１と、吸気口部６と噴出口部８，８とを連通する空気導入管１２とを備えている。各噴出口部８は、槽内へ気泡水を吐出する噴出口（図示略）及び槽内から浴槽水を吸引する吸引口（図示略）を併設し、循環用ポンプ９の起動に伴い、浴槽水を吸引口から吸水管１１を通じてポンプ９へ吸入させると共に、ポンプ９から吐出される浴槽水を送水管１０を通じて各噴射口から浴槽内へ噴出させる。このとき、各噴出口部８は、噴出水の勢いにより空気導入管１２からエアーを混入具（図示略）に吸引し、混入具で噴出する浴槽水に気泡の混入したものとする。噴出口部８は、混入具の空気導入管１２と連通する箇所に逆止弁を設け、浴槽水が空気導入管１２へ逆流するのを防止するように構成することもある。なお、浴槽水を吸引する吸引口は、噴出口部８に設けた本例に限定するものではなく、吸引口を設けていない噴出口部を用いる場合には、浴槽２の立上げ壁部２ｂに吸引口部を設け、該吸引口部に吸水管１１を接続して対処する。
【００１５】
前記空気導入管１２は、図１に示す如く、下流側の噴出口部８，８から延設した分岐管１２ａ，１２ａと、分岐管１２ａ，１２ａからＴ字接合具１２ｂを介して前記吸気口部６まで延設した集合管１２ｃとからなり、集合管１２ｃの途中に消音器１３を設けてある。消音器１３は、浴槽２の立上げ壁部２ｂに接着したマウントベース（図示略）に結束バンド１４で取付けて固定され、吸気口部６の吸気口６ａから洗い場側Ｇへ放出される騒音を小さくしている。集合管１２ｃは、消音器１３の上方の流入口１３ａに首振り自在なエルボ１５を介して上流側１２ｃ−１が接合され、消音器１３の下端の流出口１３ｂに下流側１２ｃ−２が接続されている。集合管１２ｃは、上流側１２ｃ−１を浴槽２の上縁リム２ａの下面側に沿わすように配置してある。このように消音器１３は、流入口１３ａを上方に位置させると共に流出口１３ｂを下端に位置させることで、仮に浴槽水が逆流して消音器内へ浸入したとしても、浴槽を排水するときに、消音器内の残水が下端の流出口１３ｂから流出するので残留することもない。なお、消音器１３は、下端に二個の横向きの接合部（図示略）を略同一直線上で反対方向へ突出させ、各接合部に各分岐管１２ａを簡単に接合できるようにすることもある。
【００１６】
前記気泡発生装置３の吸気口部６は、図２に示す如く、エプロン本体５ａの後側（洗い場側Ｇと反対側）に配置され空気導入管１２の集合管１２ｃを接合した本体部材６ｂと、エプロン本体５ａの前側（洗い場側Ｇ）に配置され吸気口６ａを形成した口部材６ｃとからなり、エプロン本体５ａの取付孔５ｅへ洗い場側Ｇから挿通した口部材６ｃを本体部材６ｂに接合（例えば、螺着）して、本体部材６ｂ及び口部材６ｃの両鍔部で取付孔５ｅの周縁をシール材１６を介して挟持して取り付けてある。
【００１７】
本発明吸気構造１は、上述の如く、エプロン５に気泡発生装置３の吸気口部６を取付ける共に吸気口部６の吸気口６ａを洗い場側Ｇに臨ませることで、浴槽２の上縁リム２ａの上面に吸気口を開口させる従来の構造が招いていた吸気口６ａと風呂蓋との干渉を無くすことができ、また、仮に浴槽水が吸気口６ａへ逆流したとしても洗い場側Ｇへ流出するため、浴槽２の裏面側に漏水させることもない。
【図面の簡単な説明】
【００１８】
【図１】本発明吸気構造の実施の形態の全体を示すものであって、中間省略すると共に洗い場側防水パン、浴槽側防水パン及び浴槽の各々の一部を破断して示す左側断面図である。
【図２】同実施の形態における吸気口部の取付け状態を拡大して示す左側断面図である。
【図３】同実施の形態における、エプロン等を省略した配管状態を示す斜視図である。
【図４】同実施の形態におけるエプロンを示すものであって、中間省略すると共に外蓋の一部を破断した正面図である。
【符号の説明】
【００１９】
２…浴槽、３…気泡発生装置、４…洗い場側防水パン、５…エプロン、５ｄ…化粧蓋である外蓋、６…吸気口部、６ａ…吸気口、Ｇ…洗い場側、８…噴出口部、１２…空気導入管、１３…消音器
【図１】
0004919509.tif 000002
【図２】
0004919509.tif 000003
【図３】
0004919509.tif 000004
【図４】
0004919509.tif 000005